(57)【要約】【課題】使用時に電源プラグが壁面より突出することなく、不使用時にプラグ差込口にごみや埃が付着することを抑制し、構造が複雑にならない壁面埋込み用のコンセントボックスを提供する。【解決手段】壁面埋込み用のコンセントボックスＡ１において、電源プラグＢ１の端子を差し込むためのプラグ差込口４１が設けられたコンセント本体４と、壁に埋め込まれた状態で固定される、正面側に開口部１１が設けられたケース１とを備え、コンセント本体４を、プラグ差込口４１が下方を向くように、ケース１の内側の上面に固定した。プラグ差込口４１が下方を向いているので、不使用時にごみや埃が付着することを抑制することができる。また、コンセント本体４がケース１の内側の上面にあるので、使用時に電源プラグＢ１が壁面より突出することがない。さらに、構造が複雑にならない。【選択図】図１
0003182934.tif 000002
【実用新案登録請求の範囲】
【請求項１】
壁面埋込み用のコンセントボックスであって、
電源プラグの端子を差し込むためのプラグ差込口が設けられたコンセント本体と、
壁に埋め込まれた状態で固定される、正面側に開口部が設けられたケースと、
を備えており、
前記コンセント本体は、前記プラグ差込口が下方を向くように、前記ケースの内側の上面に固定されている、
ことを特徴とするコンセントボックス。
【請求項２】
前記ケースの開口部に開閉自在に取り付けられる、切り欠きを有する蓋を、さらに備えている、請求項１に記載のコンセントボックス。
【請求項３】
前記プラグ差込口に差し込まれた電源プラグが抜け落ちないように固定する固定部材を、さらに備えている、請求項１または２に記載のコンセントボックス。
【請求項４】
前記固定部材は、ひも状の弾性体からなり、端部が前記コンセント本体に固定されている、請求項３に記載のコンセントボックス。
【考案の詳細な説明】
【技術分野】
【０００１】
本考案は、壁面埋込み用のコンセントボックスに関する。
【背景技術】
【０００２】
従来の壁面埋込み用のコンセントボックスは、壁施工前に壁内に予め取り付けたボックスに、プラグ差込口を備えるコンセント本体をネジなどによって固定する構造になっている。
【０００３】
図１１は、従来の壁面埋込み用のコンセントボックスの一例を示す図であり、壁Ｃに取り付けられたコンセントボックスＡ’に電源プラグＢ１が差し込まれている状態を示している。同図（ａ）は正面図であり、同図（ｂ）は同図（ａ）のＸＩ−ＸＩ線視断面図である。同図（ｂ）に示すように、壁Ｃにボックス１０１が予め取り付けられ、このボックス１０１にコンセント本体４がネジなどで固定される。そして、コンセント本体４に設けられたプラグ差込口４１が露出するように開口部が設けられた化粧板１０２が、ボックス１０１に取り付けられる。
【０００４】
従来の壁面埋込み用のコンセントボックスＡ’の場合、不使用時には、プラグ差込口４１が露出したままの状態になるので、プラグ差込口４１にごみや埃が付着してしまう。また、従来の壁面埋込み用のコンセントボックスＡ’の場合、図１１（ｂ）に示すように、プラグ差込口４１に電源プラグＢ１を差し込んで使用している状態では、電源プラグＢ１が壁面より突出してしまう。したがって、家具などを配置するときに邪魔になる場合がある。
【０００５】
これらの不都合を回避するために、様々な発明が開発されている。例えば、コンセントボックスの前面に蓋を設けた発明（特許文献１参照）や、コンセント本体が回転できるようにされた発明（特許文献２〜４参照）がある。
【先行技術文献】
【特許文献】
【０００６】
【特許文献１】特開平７-３３５３４７号公報
【特許文献２】実開平５-１５３７６号公報
【特許文献３】特開２０１１-２２８２２１号公報
【特許文献４】特開２００２-４２９５３号公報
【考案の概要】
【考案が解決しようとする課題】
【０００７】
しかしながら、特許文献１〜３に記載の発明の場合、使用時には電源プラグが壁面より突出する状態になる。また、特許文献４に記載の発明の場合、構造が複雑になってしまう。構造が複雑になってしまうのは、特許文献２、３に記載の発明も同様である。
【０００８】
本考案は上記した事情のもとで考え出されたものであって、使用時に電源プラグが壁面より突出することなく、不使用時にプラグ差込口にごみや埃が付着することを抑制し、構造が複雑にならない壁面埋込み用のコンセントボックスを提供することをその目的としている。
【課題を解決するための手段】
【０００９】
上記課題を解決するため、本考案では、次の技術的手段を講じている。
【００１０】
本考案の第１の側面によって提供されるコンセントボックスは、壁面埋込み用のコンセントボックスであって、電源プラグの端子を差し込むためのプラグ差込口が設けられたコンセント本体と、壁に埋め込まれた状態で固定される、正面側に開口部が設けられたケースとを備えており、前記コンセント本体は、前記プラグ差込口が下方を向くように、前記ケースの内側の上面に固定されていることを特徴とする。
【００１１】
本考案の好ましい実施の形態においては、前記ケースの開口部に開閉自在に取り付けられる、切り欠きを有する蓋を、さらに備えている。
【００１２】
本考案の好ましい実施の形態においては、前記プラグ差込口に差し込まれた電源プラグが抜け落ちないように固定する固定部材を、さらに備えている。
【００１３】
本考案の好ましい実施の形態においては、前記固定部材は、ひも状の弾性体からなり、端部が前記コンセント本体に固定されている。
【考案の効果】
【００１４】
本考案によると、プラグ差込口が下方を向いているので、不使用時にプラグ差込口にごみや埃が付着することを抑制することができる。また、コンセント本体が壁に埋め込まれたケースの内側の上面にあるので、電源プラグの端子をプラグ差込口に差し込んで使用している場合でも、電源プラグが壁面より突出することがない。さらに、コンセント本体がケースの内側の上面に固定されているだけなので、構造が複雑にならない。
【００１５】
本考案のその他の特徴および利点は、添付図面を参照して以下に行う詳細な説明によって、より明らかとなろう。
【図面の簡単な説明】
【００１６】
【図１】第１実施形態に係るコンセントボックスを説明するための正面図である。
【図２】第１実施形態に係るコンセントボックスを説明するための断面図である。
【図３】第１実施形態に係るコンセントボックスを説明するための断面図である。
【図４】第１実施形態に係るコンセントボックスの他の実施例を説明するための図である。
【図５】第１実施形態に係るコンセントボックスの他の実施例を説明するための図である。
【図６】第１実施形態に係るコンセントボックスの他の実施例を説明するための図である。
【図７】第１実施形態に係るコンセントボックスの他の実施例を説明するための図である。
【図８】第２実施形態に係るコンセントボックスを説明するための図である。
【図９】第２実施形態に係るコンセントボックスの他の実施例を説明するための図である。
【図１０】第２実施形態に係るコンセントボックスの他の実施例を説明するための図である。
【図１１】従来のコンセントボックスを説明するための図である。
【考案を実施するための形態】
【００１７】
以下、本考案の実施の形態を、図面を参照して具体的に説明する。
【００１８】
図１〜図３は、第１実施形態に係るコンセントボックスを説明するための図であり、壁Ｃに取り付けられたコンセントボックスＡ１に電源プラグＢ１が差し込まれている状態を示している。図１は正面図であり、同図（ａ）は蓋２が閉じた状態を示しており、同図（ｂ）は蓋２が開いた状態を示している。図２は図１（ａ）のＩＩ−ＩＩ線視断面図であり、図３は図１（ａ）のＩＩＩ−ＩＩＩ線視断面図である。
【００１９】
コンセントボックスＡ１は、ケース１、蓋２、蝶番３、およびコンセント本体４を備えている。なお、図１（ｂ）においては、実際には見えないコンセント本体４および電源プラグＢ１の端子を、破線で示している。また、図２においては、コンセント本体４の内部の構造の記載を省略している。また、コンセント本体４と電源とを接続する屋内配線ケーブルの記載も省略している。
【００２０】
ケース１は、コンセント本体４を収納するものであり、壁Ｃに埋め込まれるように取り付けられる。ケース１は、略直方体形状の内部に空洞を有するプラスチック成形品である。ケース１は、壁Ｃに取り付けられた時に露出する面である正面側（図１においては図の手前側で、図２においては図の右側）の面に開口部１１を有している。開口部１１は、略矩形状であり、ケース１の正面の下側約３分の２を開放するように設けられている。なお、ケース１の形状および材質は限定されない。例えば、強度を重視するのであれば、アルミニウムなどの金属製にしてもよい。また、開口部１１の形状、大きさおよび位置も限定されない。電源プラグＢ１をコンセント本体４に差し込むことができればよい。
【００２１】
蓋２は、ケース１の開口部１１をふさぐためのものであり、略矩形型のプラスチック成形板である。蓋２は、ケース１の開口部１１の下側に、蝶番３によって開閉自在に取り付けられている。蓋２は、４つの頂点部分のうち閉鎖状態（図１（ａ）参照）で下方に位置する２つの頂点部分に、それぞれ切欠部２１が設けられている。切欠部２１は、閉鎖状態のときに電源ケーブルＢ２を通すために設けられている。これにより、電源プラグＢ１を差し込んでいる状態でも、開口部１１を蓋２によってふさぐことができる（図１（ａ）参照）。なお、蓋２の形状および材質は限定されない。ケース１の開口部１１をふさぐことができればよく、開口部１１の形状にあわせればよい。また、美観の点から、蓋２の材質は、ケース１の材質に合わせればよい。また、切欠部２１の数、大きさおよび位置も限定されない。
【００２２】
コンセント本体４は、略直方体形状のプラスチック成形品であり、一方面（図２においては図の下側の面で、図３においては図の手前側の面）に２対のプラグ差込口４１（図３参照。ただし、一対のみ表示されており、他の一対は電源プラグＢ１によって隠されている。）が設けられている。コンセント本体４の内部のプラグ差込口４１に対応する位置には、差し込まれた電源プラグＢ１の端子と接触する導電部材（図示しない）が設けられており、当該導電部材に屋内配線ケーブル（図示しない）が接続されている。電気機器（図示しない）の電源プラグＢ１がプラグ差込口４１に接続された場合、屋内配線ケーブル、導電部材、電源プラグＢ１、および電源ケーブルＢ２を介して、当該電気機器に電力が供給される。コンセント本体４は、プラグ差込口４１が設けられている一方面が下方を向くように、ケース１の内側の上面に固定されている。なお、コンセント本体４の形状、材質、および構造は限定されない。例えば、プラグ差込口４１は１対のみであってもよいし、３対以上あってもよい。
【００２３】
コンセントボックスＡ１は、壁施工前に、壁Ｃに設けられた穴に嵌め込んで取り付けられる。使用時には、蓋２を開放してプラグ差込口４１に電源プラグＢ１を接続し、電源ケーブルＢ２を切欠部２１に通すようにして、蓋２を閉じる。不使用時にも、蓋２は閉じられる。
【００２４】
本実施形態では、プラグ差込口４１が下方を向いているので、不使用時にプラグ差込口４１にごみや埃が付着することを抑制することができる。また、コンセント本体４が壁Ｃに埋め込まれたケース１の内側の上面にあるので、電源プラグＢ１の端子をプラグ差込口４１に差し込んで使用している場合でも、電源プラグＢ１が壁面より突出することがない（図２参照）。さらに、コンセント本体４がケース１の内側の上面に固定されているだけなので、構造が複雑にならない。
【００２５】
使用時、不使用時とも開口部１１が蓋２によってふさがれているので、プラグ差込口４１にごみや埃が付着することをさらに抑制することができる。また、子供のいたずらによる感電を防ぐことができる。さらに、不使用時のプラグ差込口４１や、使用時の電源プラグＢ１が目につかないので、美観を保つことができる。
【００２６】
なお、本実施形態においては、壁Ｃに平行に２対のプラグ差込口４１を並べた場合について説明したが、これに限られない。例えば、壁Ｃの面と直交する方向に２対のプラグ差込口４１を並べるようにしてもよい。図４は、他の実施例を説明するための図であり、壁Ｃの面と直交する方向に２対のプラグ差込口４１を並べた場合のものである。図４（ａ）は図１（ｂ）に対応する図であり、図４（ｂ）および（ｃ）はそれぞれ図２および図３に対応する図である。
【００２７】
本実施形態においては、蓋２がケース１の開口部１１の下側に取り付けられている場合について説明したが、これに限られない。例えば、図５（ａ）に示すように、蓋２がケース１の開口部１１の上側に取り付けられるようにしてもよい。また、図５（ｂ）に示すように、開口部１１の横に取り付けられるようにしてもよい。なお、図５（ａ）および（ｂ）はそれぞれ図２に対応する図である。また、開口部１１の横の両側にそれぞれ蓋２を取り付けて、観音開きにより開閉するようにしてもよい。また、蓋２をケース１に取り付けず、開口部１１に嵌め込むようにしてもよい。
【００２８】
本実施形態においては、蓋２の４つの頂点部分のうち閉鎖状態（図１（ａ）参照）で下方に位置する２つの頂点部分に、切欠部２１が設けられている場合について説明したが、これに限られない。例えば、図６（ａ）に示すように、閉鎖状態（図１（ａ）参照）で上方に位置する２つの頂点部分に、切欠部２１を設けるようにしてもよい。なお、図６（ａ）は図１（ｂ）に対応する図である。また、コンセント本体４に設けられるプラグ差込口４１の数が３つの場合、切欠部２１を３つ設けるようにしてもよい（図６（ｂ）参照）。また、プラグ差込口４１の数が１つの場合、切欠部２１を１つだけにしてもよい（図６（ｃ）参照）。図５（ａ）および（ｂ）の場合も同様に、プラグ差込口４１の数および位置に応じて、切欠部２１を配置すればよい。
【００２９】
本実施形態においては、ケース１が略直方体形状である場合について説明したが、これに限られない。ケース１の奥側（図２においては図の左側）の下側の空間はなくても問題ないので、図７（ａ）に示すように、ケース１を当該空間を小さくした形状にしてもよい。また、図７（ｂ）に示すように、プラグ差込口４１が真下ではなく少し正面側を向くように、コンセント本体４を傾けた状態で固定するようにしてもよい。この場合、コンセントボックスＡ１を壁Ｃに取り付けた状態で、プラグ差込口４１に電源プラグＢ１を抜き差ししやすいようになる。なお、図７（ａ）および（ｂ）は、図２に対応する図である。
【００３０】
上記第１実施形態においては、電源プラグＢ１の端子をプラグ差込口４１に差し込んでいるだけなので、電源プラグＢ１がプラグ差込口４１から抜け落ちる可能性がある。電源プラグＢ１がプラグ差込口４１から抜け落ちることを防ぐようにした場合を、第２実施形態として以下に説明する。
【００３１】
図８は、第２実施形態に係るコンセントボックスＡ２を説明するための図であり、壁Ｃに取り付けられたコンセントボックスＡ２に電源プラグＢ１が差し込まれている状態を示している。同図（ａ）は、図１（ｂ）に対応する図であり、蓋２が開いた状態の正面図である。同図（ｂ）は図２に対応する断面図であり、同図（ｃ）は、図３に対応する断面図である。これらの図において、第１実施形態に係るコンセントボックスＡ１(図１〜図３参照）と同一または類似の要素には、同一の符号を付している。
【００３２】
コンセントボックスＡ２は、固定部材５を備えている点で、第１実施形態に係るコンセントボックスＡ１と異なる。
【００３３】
固定部材５は、プラグ差込口４１に差し込まれた電源プラグＢ１が抜け落ちないように固定するものである。固定部材５は、ひも状のゴムであり、両端部がそれぞれコンセント本体４に固定されている。本実施形態では、コンセント本体４に２つの電源プラグＢ１が接続できるように、２対４個のプラグ差込口４１が設けられている。固定部材５は、それぞれのプラグ差込口４１に１つずつ設けられており、プラグ差込口４１の長手方向の両端よりそれぞれ少し離れた位置に各端部が固定されている（図８（ｃ）参照）。
【００３４】
次に、固定部材５の使用方法について説明する。電源プラグＢ１をプラグ差込口４１に差し込んだ後、固定部材５の中央部を引き延ばして、電源プラグＢ１の端子とは反対側に引っかける。１つの電源プラグＢ１に対して２つの固定部材５を引っかけて固定する。
【００３５】
なお、固定部材５の材質および形状は限定されず、ゴム以外の弾性体であってもよいし、帯状であってもよい。また、固定部材５の両端部の固定位置も限定されない。
【００３６】
図９（ａ）に示すように、２つの固定部材５の中央部を交差させて、電源プラグＢ１をその間を通してプラグ差込口４１に差し込むようにしてもよい。また、図９（ｂ）に示すように、固定部材５をプラグ差込口４１の長手方向に直交するように設けるようにしてもよい。また、図９（ｃ）に示すように、１つの固定部材５で電源プラグＢ１を固定するようにしてもよい。なお、図９（ａ）〜（ｃ）は、それぞれ図３に対応する図である。
【００３７】
また、固定部材５の両端部がコンセント本体４に固定されている場合に限定されない。図１０に示すように、固定部材５の一方端部のみがコンセント本体４に固定されており、他方端部がコンセント本体４に付け外し可能になっていてもよい。同図においては、左側のプラグ差込口４１には電源プラグＢ１が差し込まれていないので、対応する固定部材５の他方端部はコンセント本体４に固定されておらず、右側のプラグ差込口４１には電源プラグＢ１が差し込まれて、固定部材５を電源プラグＢ１の端子とは反対側に引っかけたうえで、他方端部をコンセント本体４に固定している。なお、図１０は、図１（ｂ）に対応する図である。
【００３８】
第２実施形態においても、第１実施形態と同様の効果を奏することができる。また、電源プラグＢ１の端子がプラグ差込口４１に差し込まれた状態で、固定部材５によって電源プラグＢ１が固定されるので、電源プラグＢ１がプラグ差込口４１から抜け落ちることを防ぐことができる。
【００３９】
本考案に係るコンセントボックスは、上述した実施形態に限定されるものではない。本考案に係るコンセントボックスの各部の具体的な構成は、種々に設計変更自在である。
【符号の説明】
【００４０】
Ａ１，Ａ２，Ａ’  コンセントボックス
１  ケース
１１  開口部
２  蓋
２１  切欠部
３  蝶番
４  コンセント本体
４１  プラグ差込口
５  固定部材
１０１  ボックス
１０２  化粧板
Ｂ１  電源プラグ
Ｂ２  電源ケーブル
Ｃ  壁
【図１】
0003182934.tif 000003
【図２】
0003182934.tif 000004
【図３】
0003182934.tif 000005
【図４】
0003182934.tif 000006
【図５】
0003182934.tif 000007
【図６】
0003182934.tif 000008
【図７】
0003182934.tif 000009
【図８】
0003182934.tif 000010
【図９】
0003182934.tif 000011
【図１０】
0003182934.tif 000012
【図１１】
0003182934.tif 000013